(57)【要約】【課題】主に各種電子機器の操作に用いられるリモコン送信機に関し、扉体の保持が確実で、安定した開閉操作が可能なものを提供することを目的とする。【解決手段】上ケース１１内に線状のばね部材１７を保持すると共に、一端を支点として上ケース１１に開閉可能に装着された扉体１５他端の係合爪部１５Ｂに、このばね部材１７を弾接させることによって、線状のばね部材１７と係合爪部１５Ｂにより扉体１５の保持が行われるため、構成部品に多少の寸法のばらつきが生じた場合でも、扉体１５を閉状態に確実に保持できると共に、扉体１５の開閉操作を繰返した場合にも、安定した開閉力で開閉操作が可能なリモコン送信機を得ることができる。【選択図】図１
2009253796.tif 000002
【特許請求の範囲】
【請求項１】
略箱型のケースと、このケース上面に突出した操作体の操作によって電気的接離を行うスイッチ接点と、一端を支点として上記ケースに開閉可能に装着され上記操作体を覆う扉体と、上記スイッチ接点の電気的接離に応じて、送信手段からリモコン信号を送信する制御手段からなり、上記ケース内に線状のばね部材を保持すると共に、このばね部材の一端を上記扉体他端の係合爪部に弾接させたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図７及び図８を用いて説明する。
【０００４】
図７は従来のリモコン送信機の断面図、図８は同斜視図であり、同図において、１は略箱型で絶縁樹脂製の上ケース、２はゴム等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点（図示せず）が設けられ、この固定接点が各操作部２Ａ下面に形成されたカーボン等の可動接点（図示せず）と、所定の間隙を空けて対向して複数のスイッチ接点４が形成されている。
【０００６】
また、５は絶縁樹脂製の扉体、６はゴム等の押圧体で、押圧体６には下方の略ドーム状の薄肉部によって、連結形成された複数の押釦部６Ａが設けられると共に、この複数の押釦部６Ａ上面が、扉体５上面の複数の開口孔から上下動可能に突出している。
【０００７】
さらに、７は板状で絶縁樹脂製のカバーで、このカバー７が扉体５下面を覆い固着されて、押圧体６が下面をカバー７上面に当接させて扉体５内に収納されると共に、カバー７下面の複数の開口孔からは、複数の押釦部６Ａの下面が突出している。
【０００８】
そして、扉体５が右端部に形成された軸孔部５Ａを支点として、上ケース１に対して開閉可能に装着されると共に、この扉体５が閉じて、操作体２の操作部２Ａ上面を覆った状態では、複数の押釦部６Ａ下面が複数の操作部２Ａ上面に当接している。
【０００９】
また、扉体５の左端部と上ケース１上面には鉤状の複数の係合爪部５Ｂと１Ａが各々設けられると共に、この係合爪部１Ａが係合爪部５Ｂに噛合して、扉体５が閉じた状態で保持されている。
【００１０】
さらに、配線基板３上下面には、発光ダイオード等のリモコン信号を送信する送信手段８や、配線パターンを介して送信手段８や複数のスイッチ接点４等に接続されたマイコン等の制御手段９が形成されると共に、上ケース１下面を絶縁樹脂製の下ケース１０が覆って、リモコン送信機が構成されている。
【００１１】
なお、扉体５上面から突出した複数の押釦部６Ａは電子機器の、例えば機器がエアコンであった場合、電源の入／切、或いは温度の増減等の、通常頻繁に使用されるものに用いられ、この下方の上ケース１上面から突出した複数の操作部２Ａは、風量や風向の切換えや、タイマーの時刻設定等の、比較的使用頻度の少ないものに用いられる。
【００１２】
以上の構成において、図７に示すように、扉体５が閉じた状態で、扉体５上面から突出した所定の押釦部６Ａを押圧操作すると、略ドーム状の薄肉部が弾性変形して押釦部６Ａが下方へ移動し、押釦部６Ａ下面がこの下方の操作部２Ａを押圧する。
【００１３】
そして、この操作部２Ａが略ドーム状の薄肉部を弾性変形させて下方へ移動し、この下面の可動接点が複数の固定接点と接触して、スイッチ接点４の電気的接離が行われ、この電気的接離に応じて制御手段９が、送信手段８から赤外線のリモコン信号を電子機器へ送信し、例えば、エアコンの電源の入／切が遠隔操作によって行われる。
【００１４】
また、図８に示すように、軸孔部５Ａを支点として手で扉体５を上方へ回転して、係合爪部１Ａから係合爪部５Ｂを外し、扉体５が開いた状態で、上ケース１上面から突出した所定の操作部２Ａを押圧操作すると、略ドーム状の薄肉部が弾性変形して操作部２Ａが下方へ移動し、この下面の可動接点が複数の固定接点と接触して、スイッチ接点４の電気的接離が行われる。
【００１５】
そして、この電気的接離に応じて制御手段９が送信手段８からリモコン信号を送信するが、この時、扉体５と配線基板３の間に別途設けられた検知スイッチ（図示せず）等によって、扉体５が開いた状態であることを制御手段９が検出し、上記の押釦部６Ａを介して押圧操作した場合とは異なるリモコン信号を電子機器へ送信して、例えば、風量や風向の切換えやタイマーの時刻設定等が遠隔操作によって行われる。
【００１６】
つまり、制御手段９が検知スイッチ等によって扉体５の開閉状態を検出し、押釦部６Ａと操作部２Ａのどちらが操作されたかを判別して、扉体５が開いて操作部２Ａを直接押圧操作した場合と、扉体５が閉じて押釦部６Ａを介して操作部２Ａを押圧操作した場合とでは、異なるリモコン信号を送信することによって、遠隔操作する機能を増やし、機器のより多様な操作が可能なように構成されているものであった。
【００１７】
なお、この出願の発明に関連する先行技術文献情報としては、例えば、特許文献１が知られている。
【特許文献１】特開２００７−５３５１７号公報
【発明の開示】
【発明が解決しようとする課題】
【００１８】
しかしながら、上記従来のリモコン送信機においては、絶縁樹脂製の鉤状の係合爪部５Ｂと１Ａを噛合させて、扉体５を閉じた状態に保持しているため、係合爪部５Ｂと１Ａの寸法のばらつきによって扉体５の開閉力にばらつきが生じ易く、また、扉体５の開閉操作を繰返すと、係合爪部５Ｂや１Ａが磨耗して開閉力が弱くなってしまうという課題があった。
【００１９】
本発明は、このような従来の課題を解決するものであり、扉体の保持が確実で、安定した開閉操作が可能なリモコン送信機を提供することを目的とする。
【課題を解決するための手段】
【００２０】
上記目的を達成するために本発明は、ケース内に線状のばね部材を保持すると共に、一端を支点としてケースに開閉可能に装着された扉体他端の係合爪部に、このばね部材を弾接させてリモコン送信機を構成したものであり、線状のばね部材と係合爪部によって扉体の保持が行われるため、構成部品に多少の寸法のばらつきが生じた場合でも、扉体を閉状態に確実に保持できると共に、扉体の開閉操作を繰返した場合にも、安定した開閉力で開閉操作が可能なリモコン送信機を得ることができるという作用を有するものである。
【発明の効果】
【００２１】
以上のように本発明によれば、扉体の保持が確実で、安定した開閉操作が可能なリモコン送信機を実現できるという有利な効果が得られる。
【発明を実施するための最良の形態】
【００２２】
以下、本発明の実施の形態について、図１〜図５を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるリモコン送信機の断面図、図２は同分解斜視図、図３は同部分斜視図であり、同図において、１１は略箱型でポリスチレンやＡＢＳ等の絶縁樹脂製の上ケース、２はゴムやエラストマー等の操作体で、操作体２には下方の略ドーム状の薄肉部によって、連結形成された複数の操作部２Ａが設けられると共に、この複数の操作部２Ａ上面が、上ケース１１上面の複数の開口孔から上下動可能に突出している。
【００２５】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点が設けられ、この固定接点が各操作部２Ａ下面に形成されたカーボン等の可動接点と、所定の間隙を空けて対向して複数のスイッチ接点４が形成されている。
【００２６】
また、１５は絶縁樹脂製の扉体、６はゴムやエラストマー等の押圧体で、押圧体６には下方の略ドーム状の薄肉部によって、連結形成された複数の押釦部６Ａが設けられると共に、この複数の押釦部６Ａ上面が、扉体１５上面の複数の開口孔から上下動可能に突出している。
【００２７】
さらに、７は板状で絶縁樹脂製のカバーで、このカバー７が扉体１５下面を覆い固着されて、押圧体６が下面をカバー７上面に当接させて扉体１５内に収納されると共に、カバー７下面の複数の開口孔からは、複数の押釦部６Ａの下面が突出している。
【００２８】
そして、扉体１５が右端部に形成された軸孔部１５Ａを支点として、上ケース１１に対して開閉可能に装着されると共に、この扉体１５が閉じて、操作体２の操作部２Ａ上面を覆った状態では、複数の押釦部６Ａ下面が複数の操作部２Ａ上面に当接している。
【００２９】
また、１７は略コの字状で鋼線や銅合金線等の線状のばね部材で、やや撓んだ状態で上ケース１１の収納部１１Ａ内に保持されると共に、右端のアーム部１７Ａが収納部１１Ａの側壁に弾接し、折曲部１７Ｂによって連結された左端のアーム部１７Ｃが扉体１５左端部の鉤状の複数の係合爪部１５Ｂに弾接噛合して、扉体１５が閉じた状態で保持されている。
【００３０】
さらに、配線基板３上下面には、発光ダイオード等のリモコン信号を送信する送信手段８や、配線パターンを介して送信手段８や複数のスイッチ接点４等に接続されたマイコン等の制御手段９が形成されると共に、上ケース１１下面を絶縁樹脂製の下ケース１０が覆って、リモコン送信機が構成されている。
【００３１】
なお、扉体１５上面から突出した複数の押釦部６Ａは電子機器の、例えば機器がエアコンであった場合、電源の入／切、或いは温度の増減等の、通常頻繁に使用されるものに用いられ、この下方の上ケース１１上面から突出した複数の操作部２Ａは、風量や風向の切換えや、タイマーの時刻設定等の、比較的使用頻度の少ないものに用いられる。
【００３２】
以上の構成において、図１に示すように、扉体１５が閉じた状態で、扉体１５上面から突出した所定の押釦部６Ａを押圧操作すると、略ドーム状の薄肉部が弾性変形して押釦部６Ａが下方へ移動し、押釦部６Ａ下面がこの下方の操作部２Ａを押圧する。
【００３３】
そして、この操作部２Ａが略ドーム状の薄肉部を弾性変形させて下方へ移動し、この下面の可動接点が複数の固定接点と接触して、スイッチ接点４の電気的接離が行われ、この電気的接離に応じて制御手段９が、送信手段８から赤外線のリモコン信号を電子機器へ送信し、例えば、エアコンの電源の入／切が遠隔操作によって行われる。
【００３４】
また、図４の斜視図に示すように、軸孔部１５Ａを支点として手で扉体１５を上方へ回転して、ばね部材１７が撓んでアーム部１７Ｃが係合爪部１５Ｂから外れ、扉体１５が開いた状態で、上ケース１１上面から突出した所定の操作部２Ａを押圧操作すると、略ドーム状の薄肉部が弾性変形して操作部２Ａが下方へ移動し、この下面の可動接点が複数の固定接点と接触して、スイッチ接点４の電気的接離が行われる。
【００３５】
そして、この電気的接離に応じて制御手段９が送信手段８からリモコン信号を送信するが、この時、扉体１５と配線基板３の間に別途設けられた検知スイッチ（図示せず）等によって、扉体１５が開いた状態であることを制御手段９が検出し、上記の押釦部６Ａを介して押圧操作した場合とは異なるリモコン信号を電子機器へ送信して、例えば、風量や風向の切換えやタイマーの時刻設定等が遠隔操作によって行われる。
【００３６】
つまり、制御手段９が検知スイッチ等によって扉体１５の開閉状態を検出し、押釦部６Ａと操作部２Ａのどちらが操作されたかを判別して、扉体１５が開いて操作部２Ａを直接押圧操作した場合と、扉体１５が閉じて押釦部６Ａを介して操作部２Ａを押圧操作した場合とでは、異なるリモコン信号を送信することによって、遠隔操作する機能を増やし、機器のより多様な操作が可能なように構成されている。
【００３７】
そして、扉体１５が閉じた状態では、上述したように収納部１１Ａ内に保持されたばね部材１７がやや撓んで、左端のアーム部１７Ｃが扉体１５の鉤状の係合爪部１５Ｂに弾接噛合して、閉じた状態で保持されているため、上ケース１１や扉体１５等の構成部品に多少の寸法のばらつきが生じた場合でも、扉体１５が浮いた状態等になることがなく、閉状態に確実に保持できるようになっている。
【００３８】
また、扉体１５の開閉操作の際にはばね部材１７が撓み、この弾性変形によって係合爪部１５Ｂとの噛合や離外が行われるため、良好な操作感触で扉体１５の開閉が行えると共に、扉体１５の開閉操作を繰返した場合にも、安定した開閉力での開閉操作を維持することが可能なようになっている。
【００３９】
さらに、ばね部材１７が線状に形成されているため、板状で形成する場合のように、打抜き加工や曲げ加工のためのプレス金型等は必要がなく、コイルばね等を製作する際と同様な、フォーミング加工機等によって短時間で安価にばね部材１７を製作することができる。
【００４０】
なお、以上の説明では、アーム部１７Ａと１７Ｃが折曲部１７Ｂによって連結され、略コの字状に形成されたばね部材１７を用いた構成について説明したが、図５（ａ）の部分斜視図に示すように、左右端のアーム部１７Ｄを上ケース１１に保持し、折曲部１７Ｅによって連結された中央のアーム部１７Ｆを係合爪部１５Ｂに弾接噛合させる構成や、図５（ｂ）に示すように、左右端のアーム部１７Ｇと係合爪部１５Ｂに弾接するアーム部１７Ｈの間に、略コイル状の巻回部１７Ｊを設けたばね部材を用いた構成としても、本発明の実施は可能である。
【００４１】
また、図６（ａ）に示すように、左右端に巻回部１７Ｋを設け、この中央に係合爪部１５Ｂに弾接するアーム部１７Ｌを形成したものや、図６（ｂ）に示すように、中央に巻回部１７Ｍを設け、左右端に係合爪部１５Ｂに弾接するアーム部１７Ｎを形成したもの等、折曲部や巻回部によってアーム部を連結した弾性変形可能な、様々なばね部材を用いてもよい。
【００４２】
このように本実施の形態によれば、上ケース１１内に線状のばね部材１７を保持すると共に、一端を支点として上ケース１１に開閉可能に装着された扉体１５他端の係合爪部１５Ｂに、このばね部材１７を弾接させることによって、線状のばね部材１７と係合爪部１５Ｂにより扉体１５の保持が行われるため、構成部品に多少の寸法のばらつきが生じた場合でも、扉体１５を閉状態に確実に保持できると共に、扉体１５の開閉操作を繰返した場合にも、安定した開閉力で開閉操作が可能なリモコン送信機を得ることができるものである。
【００４３】
なお、以上の説明では、配線基板３上面の複数の固定接点と、この上面に載置された操作体２の操作部２Ａ下面の可動接点によって、複数のスイッチ接点４を形成した構成について説明したが、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成においても、本発明の実施は可能である。
【産業上の利用可能性】
【００４４】
本発明によるリモコン送信機は、扉体の保持が確実で、安定した開閉操作が可能なものが得られ、主に各種電子機器の操作用として有用である。
【図面の簡単な説明】
【００４５】
【図１】本発明の一実施の形態によるリモコン送信機の断面図
【図２】同分解斜視図
【図３】同部分斜視図
【図４】同斜視図
【図５】（ａ）（ｂ）同他の実施の形態による部分斜視図
【図６】（ａ）（ｂ）同他の実施の形態による部分斜視図
【図７】従来のリモコン送信機の断面図
【図８】同斜視図
【符号の説明】
【００４６】
２  操作体
２Ａ  操作部
３  配線基板
４  スイッチ接点
６  押圧体
６Ａ  押釦部
７  カバー
８  送信手段
９  制御手段
１０  下ケース
１１  上ケース
１１Ａ  収納部
１５  扉体
１５Ａ  軸孔部
１５Ｂ  係合爪部
１７  ばね部材
１７Ａ、１７Ｃ、１７Ｄ、１７Ｆ、１７Ｇ、１７Ｈ、１７Ｌ、１７Ｎ  アーム部
１７Ｂ、１７Ｅ  折曲部
１７Ｊ、１７Ｋ、１７Ｍ  巻回部
【図１】
2009253796.tif 000003
【図２】
2009253796.tif 000004
【図３】
2009253796.tif 000005
【図４】
2009253796.tif 000006
【図５】
2009253796.tif 000007
【図６】
2009253796.tif 000008
【図７】
2009253796.tif 000009
【図８】
2009253796.tif 000010